(57)【要約】【課題】  感光性樹脂版表面をむらなく良好に洗浄することができるとともにメンテナンス性に優れ、長期間に亘って確実に印刷精度の優れた印刷版を得ることが可能な感光性樹脂版用製版装置を提供すること。【解決手段】  互いに開閉可能に枢着された上方部と下方部からなる装置本体を有し、前記下方部には感光性樹脂版を固定するための固定台が設けられ、前記上方部には洗浄ブラシと、該洗浄ブラシを駆動させる駆動機構が設けられ、この駆動機構は、円運動発生機構と、該円運動発生機構に直線往復運動を発生させる直線往復運動発生機構とからなり、前記洗浄ブラシは毛先を下方に向けて配置されてなる感光性樹脂版用製版装置とする。【選択図】  図１
2005208371.tif 000002
【特許請求の範囲】
【請求項１】
互いに開閉可能に枢着された上方部と下方部からなる装置本体を有し、前記下方部には感光性樹脂版を固定するための固定台が設けられ、前記上方部には洗浄ブラシと、該洗浄ブラシを駆動させる駆動機構が設けられ、この駆動機構は、円運動発生機構と、該円運動発生機構に直線往復運動を発生させる直線往復運動発生機構とからなり、前記洗浄ブラシは毛先を下方に向けて配置されてなることを特徴とする感光性樹脂版用製版装置。
【請求項２】
前記直線往復運動機構は、前記洗浄ブラシを感光性樹脂版の長手方向に往復させるように構成されてなることを特徴とする請求項１記載の感光性樹脂版用製版装置。
【請求項３】
前記下方部には、洗浄液の液面を前記洗浄ブラシの毛先の上端部と下端部の間の高さに調整する液位調整機構が設けられてなることを特徴とする請求項１又は２記載の感光性樹脂版用製版装置。
【請求項４】
前記下方部には洗浄液が供給される洗浄槽が設けられるとともに、前記固定台は該洗浄槽の底面から所定高さ上方位置に設けられ、前記液位調整機構は前記洗浄槽の底面に開口した排出口と、前記固定台よりも上方位置において開口するように該排出口に対して着脱可能に取り付けられる管体とを備えてなることを特徴とする請求項３記載の感光性樹脂版用製版装置。
【請求項５】
洗浄液を貯留する洗浄液タンクが前記装置本体とは別体とされ、該洗浄液タンクと前記装置本体との間で洗浄液を循環させる洗浄液循環機構が設けられてなることを特徴とする請求項１乃至４いずれかに記載の感光性樹脂版用製版装置。
【発明の詳細な説明】
【技術分野】
【０００１】
本発明は、感光性樹脂版表面をむらなく良好に洗浄することができるとともにメンテナンス性に優れ、長期間に亘って確実に印刷精度の優れた印刷版を得ることが可能な感光性樹脂版用製版装置に関する。
【背景技術】
【０００２】
光硬化により製版材料に所定形状の印刷をされた感光性樹脂は、硬化部分を残し、未硬化部分を削除して凹凸が形成された感光性樹脂版とするために、通常、製版材料が可溶剤性の場合にはトリクロロエタン等のハロゲン化炭素類を、また製版材料が含水性の場合には温水を、それぞれ使用してその表面をブラシで刷って洗浄することにより、印刷用版として調製されている。
【０００３】
この感光性樹脂版の洗浄装置としては、従来より図１４に示すものが使用されていた。この装置は、上部（ａ）と下部（ｂ）とが開閉自在に枢着された本体より構成されており、下部（ｂ）の開口部に洗浄ブラシ（ｃ）が配設されている。
そして、上部（ａ）には図１５の断面図にて示すように、回転モーター（ｄ）、偏心クランク（ｅ）を介して円運動される取付プレート（ｆ）が設けられており、取付プレート（ｆ）表面に感光性樹脂版（ｇ）を取り付けて、上部（ａ）で下部（ｂ）を覆蓋した後、この状態で回転モーター（ｄ）を作動させ、感光性樹脂版（ｇ）を洗浄ブラシ（ｃ）上で摺動させて感光性樹脂版（ｇ）表面を洗浄するように構成してなるものであった。
【０００４】
しかしながら、前記従来の感光性樹脂版洗浄装置（Ｚ）では、一の偏心クランク（ｅ）を使用して平板状の感光性樹脂版（ｇ）を洗浄ブラシ（ｃ）上で円運動させてなる構成であるから、感光性樹脂版（ｇ）表面全体をムラなく均一に洗浄ブラシで洗浄させることができないという課題が存在した。
すなわち、偏心クランク（ｅ）が描く円運動は常に一定の軌跡を描いているため、平板状の感光性樹脂版（ｇ）と洗浄ブラシ（ｃ）とは常に一定箇所同士が一定圧力で摺動されることとなる。このため強い圧力で摺動される部分と、弱い圧力で摺動する部分とが生じてしまい、洗浄ブラシ（ｃ）による擦りムラが生じてしまうという課題が存在した。
従って、印刷時の色調を発現するために感光性樹脂版（ｇ）表面に形成している網目（ドット）が、洗浄ブラシ（ｃ）の株目により潰されてしまい、色調ムラや印刷精度の悪化の原因となることがあった。或いは感光性樹脂版（ｇ）表面の凹部にまで洗浄ブラシ（ｃ）の株目が付いてしまうことがあり、結果として印刷ムラの原因となってしまうことがあった。
【０００５】
そこで、本願出願人は、このような従来の装置の問題点を解決するための装置を既に提案している（特許文献１参照）。
この本願出願人によって提案された特許文献１に開示の装置は、感光性樹脂板に対して円運動を発生させる機構と、この円運動を発生させる機構に直線往復運動をさせる機構を備えたものであり、これによって、感光性樹脂版を洗浄ブラシに対してムラ無く均一に摺動させることを可能としたものである。
【０００６】
しかしながら、この特許文献１に開示された装置は、洗浄ブラシが毛先を上方に向けて配置されているため、ブラシの毛と毛の間にスカムが残存し易いという問題点を有していた。
従来、このようなブラシに残存したスカムは、トリクロロエタンやエチレンクロライド等の塩素系溶剤によって溶解して外部に排出していたが、近年の法規制によって塩素系溶剤の使用が困難となり水による洗浄に切り換えざるを得なくなったため、除去することが非常に難しくなっていた。
また、上記装置は、感光性樹脂版を幅方向（短手方向）に直線往復運動させる構造であったため、往復のストローク、即ち洗浄ブラシに対する摺動距離が短くなり、洗浄能力が充分に得られない場合があった。
更に、洗浄液を貯留するタンクが装置本体内に配置されていたため、洗浄液の温度管理やタンクの清掃等のメンテナンスを容易に行うことができなかった。
【０００７】
【特許文献１】特開平８−７６３８３号公報
【発明の開示】
【発明が解決しようとする課題】
【０００８】
本発明は、上記従来技術が有する問題点を悉く解決すべくなされたものであって、感光性樹脂版表面をむらなく良好に洗浄することができるとともにメンテナンス性に優れ、長期間に亘って確実に印刷精度の優れた印刷版を得ることが可能な感光性樹脂版用製版装置を提供せんとするものである。
【課題を解決するための手段】
【０００９】
請求項１に係る発明は、互いに開閉可能に枢着された上方部と下方部からなる装置本体を有し、前記下方部には感光性樹脂版を固定するための固定台が設けられ、前記上方部には洗浄ブラシと、該洗浄ブラシを駆動させる駆動機構が設けられ、この駆動機構は、円運動発生機構と、該円運動発生機構に直線往復運動を発生させる直線往復運動発生機構とからなり、前記洗浄ブラシは毛先を下方に向けて配置されてなることを特徴とする感光性樹脂版用製版装置に関する。
請求項２に係る発明は、前記直線往復運動機構は、前記洗浄ブラシを感光性樹脂版の長手方向に往復させるように構成されてなることを特徴とする請求項１記載の感光性樹脂版用製版装置に関する。
【００１０】
請求項３に係る発明は、前記下方部には、洗浄液の液面を前記洗浄ブラシの毛先の上端部と下端部の間の高さに調整する液位調整機構が設けられてなることを特徴とする請求項１又は２記載の感光性樹脂版用製版装置に関する。
請求項４に係る発明は、前記下方部には洗浄液が供給される洗浄槽が設けられるとともに、前記固定台は該洗浄槽の底面から所定高さ上方位置に設けられ、前記液位調整機構は前記洗浄槽の底面に開口した排出口と、前記固定台よりも上方位置において開口するように該排出口に対して着脱可能に取り付けられる管体とを備えてなることを特徴とする請求項３記載の感光性樹脂版用製版装置に関する。
請求項５に係る発明は、洗浄液を貯留する洗浄液タンクが前記装置本体とは別体とされ、該洗浄液タンクと前記装置本体との間で洗浄液を循環させる洗浄液循環機構が設けられてなることを特徴とする請求項１乃至４いずれかに記載の感光性樹脂版用製版装置に関する。
【発明の効果】
【００１１】
請求項１に係る発明によれば、洗浄ブラシが感光性樹脂版に対して、トロコイド曲線を描くような軌跡で圧力をもって摺動するようになるから、従来の単一な円運動での摺動に比べて、感光性樹脂版を全体にムラ無く均一に洗浄することができ、洗浄時に版表面のドットを潰したり、版表面にブラシ目を付与させたりすることがなく、精度の高い感光性樹脂版を得ることが可能となる。しかも、洗浄ブラシが装置本体の上方部において毛先を下方に向けて配置されているので、ブラシの毛と毛の間にスカムが付着残存しにくく、環境に悪影響を与える溶剤を使用せずとも水による洗浄によって精度の高い感光性樹脂版を得ることが可能となる。
請求項２に係る発明によれば、直線往復運動機構が洗浄ブラシを感光性樹脂版の長手方向に往復させるように構成されているので、感光性樹脂版に対する洗浄ブラシの摺動距離を長くとることができ、確実に洗浄ムラを無くすことが可能となり、非常に優れた洗浄性能を得ることができる。
【００１２】
請求項３に係る発明によれば、洗浄液の液面を洗浄ブラシの毛先の上端部と下端部の間の高さに調整する液位調整機構が設けられているので、洗浄作業中に確実に感光性樹脂版を洗浄液に浸すことができて、感光性樹脂版の表面全体をムラ無く洗浄することが可能となるとともに、洗浄ブラシの毛にスカムが残存することを効果的に防ぐことができる。
請求項４に係る発明によれば、洗浄作業中においては、排出口に管体を取り付けておくことで、洗浄液の水位を固定台よりも上方位置にて維持することができ、作業終了後には、管体を取り外すことで洗浄槽内の洗浄液を外部へと確実に排出することができる。
請求項５に係る発明によれば、洗浄液を貯留する洗浄液タンクが装置本体とは別体とされ、該洗浄液タンクと装置本体との間で洗浄液を循環させる洗浄液循環機構が設けられているので、洗浄液の温度管理やタンクの清掃等のメンテナンスを容易に行うことが可能となる。
【発明を実施するための最良の形態】
【００１３】
以下、本発明に係る感光性樹脂版用製版装置の好適な実施形態について、図面を参照しつつ説明する。
図１は本発明に係る感光性樹脂版用製版装置の全体構成を示す図である。
本発明に係る感光性樹脂版用製版装置は、洗浄装置本体（１）と、この装置本体（１）とは別体に設けられた洗浄液タンク（２）と、これら装置本体（１）と洗浄液タンク（２）との間で洗浄液を循環させる洗浄液循環機構（３）とから構成される。
尚、図１においては、装置本体（１）の内部構造を示すために、その一部（上方部（４））を断面で表しているが、後述する洗浄ブラシの駆動機構については、他の図で詳細に示している為、この図では省略している。
【００１４】
図２は装置本体（１）の正面図、図３は装置本体（１）の側面図である。
装置本体（１）は、互いに開閉可能に枢着された上方部（４）と下方部（５）とからなり、上方部（４）を下方部（５）に対して上方に回動させることで、図４に示すように下方部（５）の上面を開放することができるようになっている。
【００１５】
上方部（４）には、多数の毛（７２）を基板（７１）に植設した洗浄ブラシ（７）が、毛先を下方向に向けて配設されている。
この洗浄ブラシ（７）の配置位置としては、感光性樹脂版（Ｊ）の表面に対して一定の圧力をもって摺動される位置に毛先が配置されるように設けられていればよく特に限定はされない。尚、本発明において、基板（７１）は上方部（４）に対して着脱可能とすることができる。
【００１６】
洗浄ブラシ（７）の毛（７２）の素材としては、より好ましくはポリブチレンテレフタレート（ＰＢＴ）、ポリエチレンテレフタレート（ＰＥＴ）、或いはその他親水性合成樹脂等、水中への浸潤によってそのガラス転移点温度が変化しない耐水性の合成樹脂を使用するのが望ましい。すなわち、ポリブチレンテレフタレート（ＰＢＴ）、ポリエチレンテレフタレート（ＰＥＴ）は６６ナイロンとは異なり、水中に浸潤（２０℃、６５％）させてもそのガラス転移点温度が変化せず、これら樹脂を素材としたブラシでは水中においても非常に腰が強い状態を発現できる。従って、水に浸潤させた状態で感光性樹脂版の洗浄を行ったとしても、洗浄ブラシ（７）の毛（７２）自体の腰が非常に強いため、良好な摺動、摩擦を行うことができる。
【００１７】
図５乃至図７は、本発明において好適に用いられる洗浄ブラシ（７）を示す図である。
本発明においては、特に洗浄ブラシ（７）の毛（７２）を図示の如く平面視千鳥状を呈するよう基板（７１）に植設する構成が好ましく採用される。すなわち、図６に示すよう縦・横のそれぞれの列に規則正しく毛（７２）を植設するよりも、図５及び図７に示すよう平面視千鳥状とすることにより、一層、洗浄ブラシ（７）表面と感光性樹脂版との摺動を均一に行うことが可能となる。
【００１８】
図８至図１０は、装置本体（１）の上方部（４）に設けられた洗浄ブラシ（７）を駆動させるための駆動機構を示す図であり、図８は平面図、図９は正面方向断面図、図１０は側面方向断面図である。尚、断面図においては、図示の都合上、モーター等の一部の構成要素の配置をずらして描いており、また図を見易くする為にハッチングを一部省略している。
この駆動機構は、円運動発生機構と、該円運動発生機構に直線往復運動を発生させる直線往復運動発生機構とからなる。
【００１９】
円運動発生機構は、洗浄ブラシ（７）に円運動を発生させるための第一モーター（１３）を備えている。
第一モーター（１３）はガイドプレート（１６）の上面に固定されており、その回転軸は該ガイドプレート（１６）を貫通している。
第一モーター（１３）の回転軸には偏心クランク（１４）が取り付けられており、この偏心クランク（１４）のもう一方の軸（偏心軸）の先端には、ブラシ取付板（２４）を介して、洗浄ブラシ（７）が毛先を下方向に向けて着脱自在に取り付けられている。
【００２０】
直線往復運動発生機構は、上記円運動機構に直線往復運動を発生させる機構であり、具体的には、ガイドプレート（１６）を直線往復運動させることにより、ガイドプレート（１６）に固定された第一モーター（１３）及びこれに連結された洗浄ブラシ（７）に直線往復運動を与える。
【００２１】
直線往復運動発生機構は、ガイドプレート（１６）に直線往復運動を発生させるための第二モーター（１７）を備えている。
第二モーター（１７）の回転軸には偏心クランク（１８）が取り付けられており、この偏心クランク（１８）のもう一方の軸（偏心軸）にはベアリング（１９）が外嵌されている。
ガイドプレート（１６）の上面には、このベアリング（１９）の動きを規制するためのベアリングガイド（２０）が設けられている。
ベアリングガイド（２０）は、左右両側に立ち上がり部を有する断面凹字状に形成されており、左右の立ち上がり部の間の部分、即ち直線状の溝（２０ａ）がガイドプレート（１６）の長手方向と直角方向に指向されている。
尚、ガイドプレート（１６）、洗浄ブラシ（７）、感光性樹脂版（Ｊ）はいずれも長方形状とされ、その長手方向は全て一致している。
【００２２】
ベアリング（１９）はベアリングガイド（２０）の溝（２０ａ）内に嵌まっており、その結果、第二モーター（１７）が回転した時、ベアリング（１９）は溝（２０ａ）内においてのみ移動するようになっている。
ベアリング（１９）の外径と溝（２０ａ）の幅は略等しくなっており、ベアリング（１９）が移動する際に、その外輪は溝（２０ａ）の左右の内面に当接しながら回転する。
【００２３】
ガイドプレート（１６）の長手側の二辺には、各辺につき３個ずつ合計６個のガイドローラ（２１）が取着されている。
これらのガイドローラ（２１）は、ガイドプレート（１６）の長手側の二辺に沿うように互いに平行に配置された一対のガイド枠（２２）に沿って回動するように配置される。そして、これらガイドローラ（２１）の回動に伴って、ガイドプレート（１６）はガイド枠（２２）に沿って直線往復運動をする。
ガイド枠（２２）は、上方部（４）の所定位置に固定された固定基板（２３）の上部に固定されており、第二モーター（１７）も固定基板（２３）の上部に固定されている。従って、ガイド枠（２２）及び第二モーター（１７）は、駆動機構の作動によってもその位置を変えることはない。
【００２４】
以下、上記した駆動機構の動作を説明する。
第一モーター（１３）が駆動されると、その回転軸の回転に伴って偏心クランク（１４）が回転し、これに伴って偏心クランク（１４）のもう一方の軸（偏心軸）の先端に取着されたブラシ取付板（２４）が第一モーター（１３）の回転軸を中心とする円運動をする。これによって、ブラシ取付板（２４）の下面に取り付けられた洗浄ブラシ（７）も円運動を行うこととなる。
【００２５】
第二モーター（１７）が駆動されると、その回転軸の回転に伴って偏心クランク（１８）が回転し、これに伴って偏心クランク（１８）のもう一方の軸（偏心軸）に外嵌されたベアリング（１９）が第二モーター（１７）の回転軸を中心とする円運動をする。
このとき、ベアリング（１９）がガイドプレート（１６）上面に固定されたベアリングガイド（２０）の溝（２０ａ）内に嵌まっているため、ベアリング（１９）の円運動は、ガイドプレート（１６）のガイド枠（２２）に沿った直線往復運動に変換される。
すなわち、図１１の上図に示されるように、ベアリング（１９）が矢印Ａの如く円運動をすると、この円運動はガイドプレート（１６）の矢印Ｂの直線運動に変換され、ガイドプレート（１６）は下図の如く移動する。
【００２６】
このように、ガイドプレート（１６）がガイド枠（２２）に沿って直線往復運動をすると、ガイドプレート（１６）の上部に固定された第一モーター（１３）は、ガイドプレート（１６）と共にその長手方向に直線往復運動をする。
このとき、上記した如く第一モーター（１３）の駆動により洗浄ブラシ（７）が円運動を行っているので、洗浄ブラシ（７）は円運動をしながら感光性樹脂版（Ｊ）の長手方向に直線往復運動をすることとなる。
【００２７】
下方部（５）には、洗浄液タンク（２）から供給される洗浄液を収容する洗浄槽（８）が設けられており、この洗浄槽（８）の底面から所定高さ上方位置には感光性樹脂版（Ｊ）を固定するための固定台（９）が設けられている。
この固定台（９）に固定された感光性樹脂版（Ｊ）は、上方部（４）と下方部（５）とを閉じた状態において、洗浄ブラシ（７）の基板（７１）と平行に対向するようになる。
【００２８】
洗浄槽（８）の底面は、感光性樹脂版（Ｊ）の長手方向の一端側から他端側に向けて一定の勾配をもって傾斜する傾斜面とされており、傾斜の最も低位置となる部分（他端側）には洗浄液を外部に排出するための排出口（１０）が設けられている。
そして、この排出口（１０）には、固定台（９）の表面よりも僅かに上方位置、具体的には洗浄ブラシ（７）の毛先の上端部と下端部の間の高さ位置、好ましくは洗浄ブラシ（７）の毛先の下端部よりも僅かに上方位置において開口するように管体（１１）が着脱可能に取り付けられている。
また、洗浄槽（８）の一端側には、洗浄液循環機構（３）から供給される洗浄液を槽内部に取り入れるための取入口（１２）が設けられている。この取入口（１２）は、洗浄ブラシ（７）の基板（７１）よりも上方位置に開口されている。
【００２９】
上記した洗浄槽（８）の構成によって、洗浄液タンク（２）から取入口（１２）を介して洗浄槽（８）内部に供給された洗浄液は、洗浄槽（８）内部に溜まることによって洗浄槽内において液位を増していくが、液位が洗浄ブラシ（７）の毛先の上端部と下端部の間の高さ位置まで達すると、管体（１１）から排出口（１０）を通って外部へと排出される。従って、洗浄槽（８）内の液位（Ｌ）は、常に洗浄ブラシ（７）の毛先の上端部と下端部の間の一定高さに保たれる。
【００３０】
このように、本発明においては、洗浄液の液面を洗浄ブラシの毛先の上端部と下端部の間の高さに調整することができる液位調整機構が設けられているので、少量の洗浄液で洗浄作業中に確実に感光性樹脂版を洗浄液に浸すことができて、感光性樹脂版の表面全体をムラ無く洗浄することが可能となるとともに、洗浄液の液面が洗浄ブラシの毛の奥にまで常に達していないことから、洗浄ブラシの毛の間にスカムが残存しにくくなる。
【００３１】
また、洗浄作業が終了すると、管体（１１）を排出口（１０）から取り外すことによって、洗浄槽（８）内の洗浄液の全量を直接排出口（１０）から迅速且つ確実に外部へと排出して洗浄液タンク（２）へと戻すことができる。
【００３２】
洗浄液循環機構（３）は、洗浄液タンク（２）と洗浄槽（８）の取入口（１２）とを連通連結する供給路（３１）と、洗浄槽（８）の排出口（１０）と洗浄液タンク（２）を連通連結する排出路（３２）と、供給路（３１）に配置されるポンプ（３３）とから構成されており、ポンプ（３３）の駆動によって洗浄液タンク（２）から装置本体（１）の洗浄槽（８）へと洗浄液を供給するとともに、洗浄槽（８）から排出された洗浄液を洗浄液タンク（２）へと還流させる。
【００３３】
図１２は、本発明に係る感光性樹脂版用製版装置において、（ａ）洗浄ブラシが静止しているとき、（ｂ）洗浄ブラシが円運動のみを行っているとき、（ｃ）洗浄ブラシが円運動と感光性樹脂版の長手方向への直線往復運動を行っているときの洗浄ブラシの毛先位置の軌跡を示す図であり、（ｂ）（ｃ）では黒くなった部分が洗浄ブラシの毛先が位置する部分を示している。
図示の如く、（ｂ）洗浄ブラシが円運動のみを行っているときは、洗浄ブラシの毛先は狭い範囲でしか動かず、しかも毛先が位置しない部分（ムラ）が生じるが、（ｃ）洗浄ブラシが円運動と感光性樹脂版の長手方向への直線往復運動を行っているときには、毛先が広い範囲でムラ無く位置するようになる。
【００３４】
図１３は、本発明に係る感光性樹脂版用製版装置において、（ａ）洗浄ブラシが静止しているとき、（ｂ）洗浄ブラシが円運動のみを行っているとき、（ｃ）洗浄ブラシが円運動と感光性樹脂版の長手方向への直線往復運動を行っているときの感光性樹脂版（Ｊ）に対する洗浄ブラシの摺動パターンを示す図であり、黒くなった部分が洗浄ブラシが当たった部分を示している。
図示の如く、（ｂ）洗浄ブラシが円運動のみを行っているときは、感光性樹脂版（Ｊ）に洗浄ブラシが当たらなかった部分、即ち洗浄ムラが生じているが、（ｃ）洗浄ブラシが円運動と感光性樹脂版の長手方向への直線往復運動を行っているときには全く洗浄ムラが生じていない。
【実施例】
【００３５】
以下、本発明に係る感光性樹脂版用製版装置の実施例及び比較例を示すことによって本発明の効果をより明確なものとする。但し、本発明は以下の実施例には何ら限定されるものではない。
（実施例）
図１乃至図１０に示す構成からなる本発明に係る感光性樹脂版用製版装置を用いて、縦２５ｃｍ×横２０ｃｍ×厚さ２．８４ｍｍの水現像型感光性フレキソ版材（硬度：ショアーＡ  ５５°）からなる感光性樹脂版を固定台（９）に固定し、洗浄槽（８）に５０℃の温水を供給して洗浄ブラシ（７）を１０分間駆動させて洗浄し、洗浄作業終了後に洗浄ブラシ（７）に付着したスカム量を測定した。
【００３６】
（比較例１）
図１４及び図１５に示す構造を有する洗浄ブラシと感光性樹脂版の相対運動が円運動のみであり、洗浄ブラシが毛先を上方に向けて配置されている装置（ＪＷ−Ａ２−ＰＤ：日本電子精機株式会社製）を用いた以外は、実施例と同じ条件で水現像型感光性フレキソ版材からなる感光性樹脂版の洗浄作業を行い、洗浄作業終了後に洗浄ブラシに付着したスカム量を測定した。
（比較例２）
特開平８−７６３８３号公報に開示された洗浄ブラシと感光性樹脂版の相対運動が円運動と直線往復運動であり、洗浄ブラシが毛先を上方に向けて配置されている装置（ＪＷ−Ａ２−ＷＦ：日本電子精機株式会社製）を用いた以外は、実施例と同じ条件で水現像型感光性フレキソ版材からなる感光性樹脂版の洗浄作業を行い、洗浄作業終了後に洗浄ブラシに付着したスカム量を測定した。
結果を表１に示す。
【００３７】
【表１】
2005208371.tif 000003
【００３８】
表１の結果から明らかなように、本発明に係る感光性樹脂版用製版装置（実施例）は、従来の装置（比較例１及び２）に比べて、洗浄ブラシに付着するスカム量を格段に減少させることが可能であった。
【産業上の利用可能性】
【００３９】
本発明は、光硬化により製版材料に所定形状の印刷をされた感光性樹脂版の表面をブラシで刷って洗浄することにより印刷用版として調製するための装置として用いられ、溶剤型の感光性樹脂版、水性型の感光性樹脂版のいずれに対しても用いることができる。
【図面の簡単な説明】
【００４０】
【図１】本発明に係る感光性樹脂版用製版装置の全体構成を示す図である。
【図２】装置本体の正面図である。
【図３】装置本体の側面図である。
【図４】装置本体の上方部と下方部を開放した状態の外観図である。
【図５】本発明において好適に用いられる洗浄ブラシの例を示す外観図である。
【図６】本発明において好適に用いられる洗浄ブラシの例を示す平面図である。
【図７】本発明において好適に用いられる洗浄ブラシの例を示す平面図である。
【図８】装置本体の上方部に設けられた洗浄ブラシを駆動させるための駆動機構を示す平面図である。
【図９】駆動機構の正面方向断面図である。
【図１０】駆動機構の側面方向断面図である。
【図１１】本発明に係る装置の駆動機構の動作を説明する平面図である。
【図１２】本発明に係る装置において、（ａ）洗浄ブラシが静止しているとき、（ｂ）洗浄ブラシが円運動のみを行っているとき、（ｃ）洗浄ブラシが円運動と感光性樹脂版の長手方向への直線往復運動を行っているときの洗浄ブラシの毛先の軌跡を示す図である。
【図１３】本発明に係る装置において、（ａ）洗浄ブラシが静止しているとき、（ｂ）洗浄ブラシが円運動のみを行っているとき、（ｃ）洗浄ブラシが円運動と感光性樹脂版の長手方向への直線往復運動を行っているときの感光性樹脂版に対する洗浄ブラシの摺動パターンを示す図である。
【図１４】従来の感光性樹脂版用製版装置の一例を示す外観図である。
【図１５】従来の感光性樹脂版用製版装置の一例を示す断面図である。
【符号の説明】
【００４１】
１      洗浄装置本体
２      洗浄液タンク
３      洗浄液循環機構
４      上方部
５      下方部
７      洗浄ブラシ
７１    洗浄ブラシの基板
７２    洗浄ブラシの毛
８      洗浄槽
９      固定台
１０    排出口
１１    管体
１２    取入口
１３    第一モーター
１４    偏心クランク
１６    ガイドプレート
１７    第二モーター
１８    偏心クランク
１９    ベアリング
２０    ベアリングガイド
２１    ガイドローラ
２２    ガイド枠
２３    固定基板
Ｊ      感光性樹脂版
【図１】
2005208371.tif 000004
【図２】
2005208371.tif 000005
【図３】
2005208371.tif 000006
【図４】
2005208371.tif 000007
【図５】
2005208371.tif 000008
【図６】
2005208371.tif 000009
【図７】
2005208371.tif 000010
【図８】
2005208371.tif 000011
【図９】
2005208371.tif 000012
【図１０】
2005208371.tif 000013
【図１１】
2005208371.tif 000014
【図１２】
2005208371.tif 000015
【図１３】
2005208371.tif 000016
【図１４】
2005208371.tif 000017
【図１５】
2005208371.tif 000018